(57)【特許請求の範囲】
【請求項１】
１次巻線が巻回された１つの１次側ボビンと、前記１次巻線と電磁結合される２次巻線がそれぞれ巻回された複数の２次側ボビンとを備えてなるインバータトランスにおいて、
２つの前記２次側ボビンが略同軸に上下方向に重ねられてなる２次側ボビン対を構成するともに、
前記１次側ボビンの前記１次巻線と前記２次側ボビン対の２つの前記２次巻線とを貫く磁束の閉磁路を構成するコアを備え、
前記コアは、
前記１次側ボビンの前記１次巻線の内側を上下方向に延びる第１の外脚部、前記２次側ボビン対の前記２つの２次巻線の内側を上下方向に延びる第２の外脚部、該前記１次巻線と該２つの２次巻線との間を上下方向に延びる中脚部、および該第１の外脚部と該第２の外脚部と該中脚部との各一端部同士を連結する連結部からなるＥ型コアと、
該Ｅ型コアの前記第１の外脚部、前記第２の外脚部および前記中脚部の各他端部側に配置されたＩ型コアと、により構成されており、
１つの前記２次側ボビン対と前記Ｅ型コアと前記Ｉ型コアで対をなす１つの前記コアとからなるコイルセットを、前記１次側ボビンに沿ってＮセット（Ｎ＝２，３…）並設して、
各々の前記コイルセットから１つまたは２つの電圧出力を取り出すように構成してなることを特徴とするインバータトランス。
【請求項２】
前記２次側ボビン対における上下の各２次側ボビンに巻回された２つの２次巻線は、一方が時計回りで他方が反時計回りに設定されていることを特徴とする請求項１記載のインバータトランス。
【請求項３】
前記２次側ボビン対における上下の各２次側ボビンに巻回された２つの２次巻線は、高圧端側が巻径の内径側に位置するように、それぞれ巻回されていることを特徴とする請求項１または２記載のインバータトランス。
【請求項４】
請求項１〜３までのうちいずれか１項記載のインバータトランスを搭載してなることを特徴とする放電灯駆動回路。
【発明の詳細な説明】
【技術分野】
【０００１】
本発明は、例えば、ノートパソコン、液晶テレビ等に使用される各種表示パネルのバックライト用の冷陰極放電ランプ（ＣＣＦＬ）を放電、点灯させるＤＣ／ＡＣインバータ回路で使用されるインバータトランスに関し、特に、複数の電圧出力を取り出す場合に好適なインバータトランスおよび放電灯駆動回路に関する。
【背景技術】
【０００２】
近年、各種表示パネルの大型化に伴い、バックライト用のＣＣＦＬの長尺化が図られており、それに伴い、インバータトランスに対する高電圧出力化への要求が高まっている。
【０００３】
従来、１つの1次巻線と電磁結合する２つの２次巻線を備え、各々の２次巻線から中間タップを導出してこれを接地する構成を採ることにより、各２次巻線から通常の２倍程度の高電圧出力を取り出すことを可能としたインバータトランスが知られている（下記特許文献１参照）。
【０００４】
【特許文献１】特開２００５−１２１７６号公報
【発明の開示】
【発明が解決しようとする課題】
【０００５】
ところで、１つのインバータトランスにより点灯させるＣＣＦＬの数は、各種表示パネルの大きさや配置されるＣＣＦＬの数によってまちまちである。そこで、要求される出力数の違いに柔軟に対応し得るようにインバータトランスを構成することが好ましい。
【０００６】
しかしながら、上記特許文献１に記載されたインバータトランスは、コアの構成が複雑で、出力別に対応した形状とはなっていないので、要求される出力数の違いに柔軟に対応することが難しいという問題がある。
【０００７】
また、１つの２次側ボビンに、２つ分の２次巻線が巻回される構成のため、各２次巻線の巻径が大きくなり、このため、２次側ボビンが大型化してインバータトランスの基板への実装面積が増大するという問題もある。
【０００８】
本発明はこのような事情に鑑みなされたものであり、要求される出力数の違いに柔軟に対応することができ、かつ各２次巻線の巻径を小さくして２次側ボビンの小型化を図り、基板への実装面積を抑制することが可能なインバータトランスおよび該インバータトランスが使用される放電灯駆動回路を提供することを目的とする。
【課題を解決するための手段】
【０００９】
上記目的を達成するため、本発明に係るインバータトランスは、１次巻線が巻回された１つの１次側ボビンと、前記１次巻線と電磁結合される２次巻線がそれぞれ巻回された複数の２次側ボビンとを備えてなるインバータトランスにおいて、
２つの前記２次側ボビンが略同軸に上下方向に重ねられてなる２次側ボビン対を構成するともに、
前記１次側ボビンの前記１次巻線と前記２次側ボビン対の２つの前記２次巻線とを貫く磁束の閉磁路を構成するコアを備え、
前記コアは、
前記１次側ボビンの前記１次巻線の内側を上下方向に延びる第１の外脚部、前記２次側ボビン対の前記２つの２次巻線の内側を上下方向に延びる第２の外脚部、該前記１次巻線と該２つの２次巻線との間を上下方向に延びる中脚部、および該第１の外脚部と該第２の外脚部と該中脚部との各一端部同士を連結する連結部からなるＥ型コアと、
該Ｅ型コアの前記第１の外脚部、前記第２の外脚部および前記中脚部の各他端部側に配置されたＩ型コアと、により構成されており、
１つの前記２次側ボビン対と前記Ｅ型コアと前記Ｉ型コアで対をなす１つの前記コアとからなるコイルセットを、前記１次側ボビンに沿ってＮセット（Ｎ＝２，３…）並設して、
各々の前記コイルセットから１つまたは２つの電圧出力を取り出すように構成してなることを特徴とする。
【００１０】
前記２次側ボビン対における上下の各２次側ボビンに巻回された２つの２次巻線は、（前記上下のどちらか一方の方向から共に見たとき、）一方が時計回りで他方が反時計回りに設定されていること、および／または高圧端側が巻径の内径側に位置するように、それぞれ巻回されていることが好ましい。
【００１２】
また、本発明に係る放電灯駆動回路は、本発明に係るインバータトランスを搭載してなることを特徴とする。
【発明の効果】
【００１３】
本発明のインバータトランスによれば、２つの２次側ボビンを重ねてなる２次側ボビン対と、各２次側ボビン対に対応した閉磁路を構成するコアとによって、出力数の構成単位となるコイルセットが構成されているので、このコイルセットの並設数を調整することにより、要求される出力数の違いに柔軟に対応することが可能となる。
【００１４】
また、出力数の構成単位となるコイルセット（２次側ボビン対）において、２次巻線がそれぞれ巻回された２つの２次側ボビンを略同軸に重ねて配置していることにより、１つの２次側ボビンに２つ分の２次巻線が巻回される構成のものに比べ、各２次巻線の巻径を小さくすることができるので、各２次側ボビンの小型化が図れ、インバータトランスの基板への実装面積を抑制することが可能となる。
【００１５】
また、本発明の放電灯駆動回路によれば、本発明のインバータトランスを搭載していることにより、要求される放電灯の数の違いに柔軟に対応することができるとともに、回路基板のコンパクト化を図ることが可能となる。
【発明を実施するための最良の形態】
【００１６】
以下、本発明に係るインバータトランスの実施形態について、添付した各図面を参照しつつ詳細に説明する。図１〜図１２は本発明に係るインバータトランスの一実施形態を示している。なお、以下の説明では、図１に示す３次元直交座標系のＸ軸の方向を左右（矢線の向きが右）、Ｙ軸の方向を前後（矢線の向きが後）、Ｚ軸の方向を上下（矢線の向きが上）と称する。また、他の図における３次元直交座標系は、図１のものと向きが一致するように示されている。
【００１７】
〈全体構成〉まず、図１および図２を用いて、本発明の一実施形態に係るインバータトランスの全体的な構成について概略的に説明する。図１は本発明の一実施形態に係るインバータトランスの全体構成を示す正面側からの斜視図であり、図２はその右側面図である。
【００１８】
本実施形態のインバータトランス１は、図１に示すように、１次巻線８が巻回された１つの１次側ボビン２と、該１次側ボビン２の長手方向に沿って左右対称に並設された２つのコイルセット３とからなり、各コイルセット３は、２次巻線９Ａ，９Ｂがそれぞれ巻回された第１および第２の２次側ボビン６，７が略同軸に上下に重ねられてなる２次側ボビン対４と、１次側ボビン２の１次巻線８と各２次側ボビン対４の上下２つの２次巻線９Ａ，９Ｂとを貫く磁束の閉磁路を構成するコア５とにより構成されている。なお、詳しくは後述するが、コア５は、図２に示すように、Ｅ型コア５１とＩ型コア５２（それぞれ一部破線で示す）とにより構成されている。
【００１９】
〈１次側ボビン〉次に、上記１次側ボビン２の構成について、図３および図４を用いてより詳細に説明する。図３は図１に示す１次側ボビンの背面側からの斜視図であり、図４はその正面図（巻線および端子が装着されていない状態で示す）である。
【００２０】
１次側ボビン２は、図３に示すように複数（本実施形態では８本）の１次側端子１１を保持してなる端子台２１と、矩形板状に形成された鍔部２２と、図４に示すように端子台２１と鍔部２２との間を上下方向に延びる角筒状の２つの巻軸部２３とからなり、２つの巻軸部２３の間を架け渡すように上記１次巻線８が巻回されている。
【００２１】
上記２つの巻軸部２３の内部には、その各軸線Ｃ１に沿って上下方向に貫通するコア挿通孔２４（図３参照）が形成されており、また、上記鍔部２２の上面には、上記Ｉ型コア５２の一端部が設置されるスペースを囲むコ字型の２つの壁部２５が、上記２つの巻軸部２３の各形成位置に対応して形成されている。
【００２２】
また、図４に示すように、上記端子台２１の左右両端部には、１次側ボビン２を上記２次側ボビン対４と組み合わせる際に、上記第２の２次側ボビン７の背面に形成された凹部（図示略）と係合される位置決め用の突部２６がそれぞれ形成されている。
【００２３】
〈第１の２次側ボビン〉次に、上記第１の２次側ボビン６の構成について、図５〜図７を用いてより詳細に説明する。図５は図１に示す第１の２次側ボビンの正面側からの斜視図であり、図６はその正面図（巻線および端子が装着されていない状態で示す）、図７はその底面図である。
【００２４】
第１の２次側ボビン６は、図５に示すように複数（本実施形態では２本）の長尺型の２次側端子１２を保持してなる端子台６１と、矩形板状に形成された上鍔部６２と、図６に示すように端子台６１の上面に形成された略円形の下鍔部６３と、上鍔部６２と下鍔部６３との間を上下方向に延びる円筒状の巻軸部６４とからなり、巻軸部６４の外周部に上記２次巻線９Ａが巻回されている。なお、図６に示すように上鍔部６２の下面には、２次巻線９Ａの巻回領域に対応して円板部６２ａが形成されており、下鍔部６３の上面には、２次巻線９Ａの巻回領域に対応してテーパ部６３ａが形成されている。
【００２５】
上記巻軸部６４の内部には、その軸線Ｃ２に沿って上下方向に貫通するコア挿通孔６５（図５参照）が形成されており、上記上鍔部６２の上面には、上記Ｉ型コア５２の他端部が設置されるスペースを囲むコ字型の壁部６６が、上記巻軸部６４の形成位置に対応して形成されている。
【００２６】
また、上記端子台６１および上記下鍔部６３の正面中央部には、上記巻軸部６４まで達する切欠部６７が形成されており、図７に示すように第１の２次側ボビン６の底面側より、この切欠部６７を通して、上記巻軸部６４に巻回された２次巻線９Ａが臨めるようになっている。
【００２７】
さらに、図７に示すように、上記端子台６１の底面側には、上記切欠部６７の左右各側面において上下方向（図７の紙面と直角な方向）に延びる一対の溝部Ｑ１，Ｑ２、および上記切欠部６７の終端側の左右両側に下方（図７の紙面から手前側）に向けて突出した一対のピン部Ｐ１，Ｐ２が設けられている。これらの溝部Ｑ１，Ｑ２およびピン部Ｐ１，Ｐ２は、２次巻線９Ａを上記巻軸部６４に巻回する際の掛止部として機能するものであり、本実施形態では、図７に示すように、右側の２次側端子１２（の絡げ部）に始端部が絡げられた２次巻線９Ａをピン部Ｐ２に掛止しつつ、上記切欠部６７を通して上記巻軸部６４側に導入した後、底面側から見て時計回りに巻軸部６４に巻回し始め、巻回終了後に２次巻線９Ａを上記溝部Ｑ１に掛止しつつ底面側に導出して、その終端部を左側の２次側端子１２（の絡げ部）に絡げるように構成されている。なお、これとは逆に、左側の２次側端子１２（の絡げ部）に始端部が絡げられた２次巻線９Ａをピン部Ｐ１に掛止しつつ、上記切欠部６７を通して上記巻軸部６４側に導入した後、底面側から見て反時計回りに巻軸部６４に巻回し始め、巻回終了後に２次巻線９Ａを上記溝部Ｑ２に掛止しつつ底面側に導出して、その終端部を右側の２次側端子１２（の絡げ部）に絡げるようにすることも可能である。
【００２８】
また、図５に示すように上記端子台６１の右側面前端部には、第１の２次側ボビン６同士を互いに組み合わせる際に、第１の２次側ボビン６の左側面前端部に形成された凹部（図示略）と係合される位置決め用の突部６８が形成されており、図７に示すように上記端子台６１の底面の隅部には、第１の２次側ボビン６を上記第２の２次側ボビン７に組み合わせる際に、第２の２次側ボビン７の上部に形成された位置決め用の突部７６（図８参照）と係合される位置決め用の凹部６９が形成されている。
【００２９】
〈第２の２次側ボビン〉次に、上記第２の２次側ボビン７の構成について、図８〜図１０を用いてより詳細に説明する。図８は図１に示す第２の２次側ボビンの正面側からの斜視図であり、図９はその正面図（巻線および端子が装着されていない状態で示す）、図１０はその底面図である。
【００３０】
第２の２次側ボビン７は、図８に示すように複数（本実施形態では２本）の短尺型の２次側端子１３を保持してなる端子台７１と、矩形板状に形成された上鍔部７２と、端子台７１の上面に形成された略円形の下鍔部７３と、図９に示すように上鍔部７２と下鍔部７３との間を上下方向に延びる円筒状の巻軸部７４とからなり、巻軸部７４の外周部に上記２次巻線９Ｂが巻回されている。なお、図９に示すように上記上鍔部７２の下面には、２次巻線９Ｂの巻回領域に対応してテーパ部７２ａが形成されている。
【００３１】
上記巻軸部７４の内部には、その軸線Ｃ３に沿って上下方向に貫通するコア挿通孔７５（図８参照）が形成されており、上記上鍔部７２の上面右奥隅部には、第２の２次側ボビン７を上記第１の２次側ボビン６に組み合わせる際に、第１の２次側ボビン６の下部に形成された上記凹部６９（図７参照）と係合される位置決め用の突部７６が形成されている。
【００３２】
また、上記端子台７１および上記下鍔部７３の正面中央部には、上記巻軸部７４まで達する切欠部７７が形成されており、図１０に示すように第２の２次側ボビン７の底面側より、この切欠部７７を通して、上記巻軸部７４に巻回された２次巻線９Ｂが臨めるようになっている。
【００３３】
さらに、図１０に示すように、上記端子台７１の底面側には、上記切欠部７７の左右各側面において上下方向（図１０の紙面と直角な方向）に延びる一対の溝部Ｑ３，Ｑ４、および上記切欠部７７の終端側の左右両側に下方（図１０の紙面から手前側）に向けて突出した一対のピン部Ｐ３，Ｐ４が設けられている。これらの溝部Ｑ３，Ｑ４およびピン部Ｐ３，Ｐ４は、２次巻線９Ｂを上記巻軸部７４に巻回する際の掛止部として機能するものであり、本実施形態では、図１０に示すように、左側の２次側端子１３（の絡げ部）に始端部が絡げられた２次巻線９Ｂをピン部Ｐ３に掛止しつつ、上記切欠部７７を通して上記巻軸部７４側に導入した後、底面側から見て反時計回りに巻軸部７４に巻回し始め、巻回終了後に２次巻線９Ｂを上記溝部Ｑ４に掛止しつつ底面側に導出して、その終端部を右側の２次側端子１３（の絡げ部）に絡げるように構成されている。なお、これとは逆に、右側の２次側端子１３（の絡げ部）に始端部が絡げられた２次巻線９Ｂをピン部Ｐ４に掛止しつつ、上記切欠部７７を通して上記巻軸部７４側に導入した後、底面側から見て時計回りに上記巻軸部７４に巻回し始め、巻回終了後に２次巻線９Ｂを上記溝部Ｑ３に掛止しつつ底面側に導出して、その終端部を左側の２次側端子１３（の絡げ部）に絡げるようにすることも可能である。
【００３４】
また、図８に示すように上記端子台７１の右側面両端部には、第２の２次側ボビン７同士を互いに組み合わせる際に、第２の２次側ボビン７の左側面両端部に形成された凹部（図示略）と係合される位置決め用の突部７８が形成されており、上記端子台７１の前端部には、上記第１の２次側ボビン６から下方へ延びる上記２次側端子１２の挿通孔７９が、対応する２つの位置にそれぞれ形成されている。
【００３５】
上述した第１および第２の２次側ボビン６，７は、図１に示すように第１の２次側ボビン６を上にして上下に重ねられることにより上記２次側ボビン対４が構成され、さらに上記コア５と組み合わせることにより上記コイルセット３が構成される。なお、上述した第１および第２の２次側ボビン６，７の各軸線Ｃ２，Ｃ３は、重ねられた際、互いに重なるように構成されている。
【００３６】
〈コア〉次に、上記コア５の構成について、図１１および図１２を用いてより詳細に説明する。図１１は図２に示すＥ型コアの正面側からの斜視図であり、図１２は図２に示すＩ型コアの正面側からの斜視図である。
【００３７】
図１１に示すようにＥ型コア５１は、上下方向に延びる角柱状の第１の外脚部５３と、上下方向に延びる円柱状の第２の外脚部５４と、該第１および第２の外脚部５３，５４の間を上下方向に延びる角柱状の中脚部５５と、これら第１の外脚部５３、第２の外脚部５４および中脚部５５の各一端部（図中下端部）同士を連結する連結部５６とからなる。
【００３８】
上記第１の外脚部５３は、上記１次側ボビン２の１次巻線８の内側を上下方向に延びるように、１次側ボビン２の上記コア挿通孔２４内に挿通され、上記第２の外脚部５４は、上記２次側ボビン対４の２つの２次巻線９Ａ，９Ｂの内側を上下方向に延びるように、上記第１および第２の２次側ボビン６，７の各コア挿通孔６５，７５内に挿通される。また、上記中脚部５５は、１次巻線８と２つの２次巻線９Ａ，９Ｂとの間を上下方向に延びるように、上記１次側ボビン２と上記２次側ボビン対４との間に配置される（図２参照）。
【００３９】
一方、図１２に示すようにＩ型コア５２は、角柱状に形成されており、図１に示すように、上記１次側ボビン２の上記壁部２５内と、上記第１の２次側ボビン６の上記壁部６６内との間に架け渡されるように配置される。すなわち、図２に示すようにＩ型コア５２は、上記Ｅ型コア５１の第１の外脚部５３、第２の外脚部５４および中脚部５５の各他端部（図中上端部）と対向するように配置され、Ｅ型コア５１と共に上記コア５を構成する。
【００４０】
このコア５は、上記１次側ボビン２の軸線Ｃ１と、上記第１および第２の２次側ボビン６，７の各軸線Ｃ２，Ｃ３とを含む平面内に配置され、Ｅ型コア５１の第１の外脚部５３、第２の外脚部５４および連結部５６と、Ｉ型コア５２とにより、１次巻線８と上下２つの２次巻線９Ａ，９Ｂとを貫く磁束が通るロ字型の閉磁路を構成する。なお、図２に示すように、Ｅ型コア５１の中脚部５５とＩ型コア５２との間には隙間が設けられており、リーケージインダクタンスを調整するように構成されている。すなわち、本実施形態のインバータトランス１は、磁気漏れ型のリーケージトランスとして構成されている。
【００４１】
なお、上記Ｅ型コア５１および上記Ｉ型コア５２は、軟磁性材料のフェライト（その他に、例えば、パーマロイ、センダスト、鉄カルボニル等の材料や、これらの微粉末を圧縮成型したダストコアを使用することも可能）により形成することができる。
【００４２】
〈回路構成〉次に、本発明に係る放電灯駆動回路の実施形態について説明する。図１３は本発明の一実施形態に係る放電灯駆動回路の構成を示している。図１３に示す放電灯駆動回路は、上述したインバータトランス１を搭載してなる。なお、図１３に示すインバータトランス１の構成は、図１に示すインバータトランス１の構成に対応するものであるが、上下に重ねられている第１および第２の２次側ボビン６，７（２つの２次巻線９Ａ，９Ｂ）を、便宜上、左右方向に並べて表記してある。また、第１の２次側ボビン６に設けられた２次側端子１２と、第２の２次側ボビン７に設けられた２次側端子１３との並びは、図１に示すものと対応するようにしており、このため、２次巻線９Ａ，９Ｂの回路が一部交差しているように表記されている。
【００４３】
図１３に示す例では、左右に並設された各２次側ボビン対４において、上側に配置された第１の２次側ボビン６の２次巻線９Ａの始端部が、２つの２次側端子１２のうち右側に位置する方の２次側端子１２に接続され、終端部が左側に位置する方の２次側端子１２に接続されている。また、各２次側ボビン対４において、下側に配置された第２の２次側ボビン７の２次巻線９Ｂの始端部は、２つの２次側端子１３のうち左側に位置する方の２次側端子１３に接続され、終端部は右側に位置する方の２次側端子１３に接続されている。そして、２つの２次側端子１２のうち左側に位置する方の２次側端子１２と、２つの２次側端子１３のうち右側に位置する方の２次側端子１３とは、共に接地されている。なお、各２次側ボビン対４における２つの２次巻線９Ａ，９Ｂは、１次巻線８に対して、それぞれ等しい結合度で電磁結合されるように構成されている。
【００４４】
また、上述したように本実施形態では、第１の２次側ボビン６の２次巻線９Ａは、始端部が右側の２次側端子１２に絡げられた後、底面側から見て時計回りに巻回されて、終端部が左側の２次側端子１２に絡げられている。一方、第２の２次側ボビン７の２次巻線９Ｂは、始端部が左側の２次側端子１３に絡げられた後、底面側から見て反時計回りに巻回されて、終端部が右側の２次側端子１３に絡げられている。
【００４５】
これにより、本実施形態では、１次巻線８の巻回方向によるが、右側の２次側端子１２および左側の２次側端子１３の一方がプラスの高電圧（Ｈ）側、他方がマイナスの高電圧（−Ｈ）側となり、左側の２次側端子１２および右側の２次側端子１３が接地（Ｇ）側となる回路構成となっており、Ｈ、−Ｈ側の２次側端子１２および２次側端子１３にＵ字型のＣＣＦＬ（Ｕ字管。直線型のＣＣＦＬ（直管）を直列に接続してなる擬似Ｕ字管でも可）１５の各端部をそれぞれ接続することにより、Ｕ字型のＣＣＦＬ１５に対し高電圧の出力を供給し得るように構成されている。
【００４６】
本実施形態では、上下２つの２次巻線９Ａ，９Ｂを上述のごとく巻回することにより、左右方向に交互に並ぶ各２つの２次側端子１２，１３の接続を、Ｈ、Ｇ、Ｇ、−Ｈの順に配列とすることが可能となっている。このような配列は、基板（図示略）上におけるＨ、−Ｈ側への回路とＧ側への回路の取り回しが容易となるので、特に、Ｕ字型のＣＣＦＬを接続するのに適している。なお、１つのＵ字型ＣＣＦＬに替えて、２つの直線型ＣＣＦＬを１つの２次側ボビン対４に対し接続することも可能である。すなわち、本実施形態のインバータトランス１は、１つのコイルセットから、比較的高電圧な１つの出力を取り出したり、比較的低電圧な２つの出力を取り出したりすることが可能となっている。
【００４７】
また、本実施形態では、上下２つの２次巻線９Ａ，９Ｂの始端部が共にＨ（または−Ｈ）側に接続されており、かつその始端部が２次巻線９Ａ，９Ｂの各巻回径の内径側に位置するように構成されている。このため、２つの２次巻線９Ａ，９Ｂの高電圧端側を周囲の電気／電子部品等から離すことが可能となっている。
【００４８】
なお、上述した例では、２つのコイルセット３が左右方向に並設されているが、本実施形態のインバータトランス１では、左右方向にＮセット（Ｎ＝２，３…）のコイルセット３を並設し得るように構成されている。コイルセット３の並設数を変更する場合には、上記１次側ボビン２に替えて、コイルセット３の数に対応した大きさに形成された１次側ボビン（図示略）を設置するとともに、この１次側ボビンに沿って上記コイルセット３を必要な数だけ並設すればよい。
【００４９】
このように本実施形態のインバータトランス１によれば、２つの２次側ボビン６，７を重ねてなる２次側ボビン対４と、各２次側ボビン対４に対応した閉磁路を構成するコア５とによって、出力数の構成単位となるコイルセット３が構成されており、このコイルセット３の並設数を調整することにより、要求される出力数の違いに柔軟に対応することが可能となっている。
【００５０】
以上、本発明に係るインバータトランスおよび放電灯駆動回路の各実施形態について説明したが、本発明に係るインバータトランスおよび放電灯駆動回路は、上述した実施形態のものに限られるものではなく、種々に態様を変更することが可能である。
【００５２】
例えば、コアの断面形状について、円形の上記第２の外脚部５４を矩形にしたり、矩形の上記第１の外脚部５３や上記中脚部５５を円形にしたり、あるいは他の形状にするなど、種々に変更することが可能である。
【図面の簡単な説明】
【００５３】
【図１】一実施形態に係るインバータトランスの正面側からの斜視図
【図２】一実施形態に係るインバータトランスの右側面図
【図３】図１に示す１次側ボビンの正面図（巻線等未装着）
【図４】図１に示す１次側ボビンの背面側からの斜視図
【図５】図１に示す第１の２次側ボビンの正面側からの斜視図
【図６】図１に示す第１の２次側ボビンの正面図（巻線等未装着）
【図７】図１に示す第１の２次側ボビンの底面図
【図８】図１に示す第２の２次側ボビンの正面側からの斜視図
【図９】図１に示す第２の２次側ボビンの正面図（巻線等未装着）
【図１０】図１に示す第２の２次側ボビンの底面図
【図１１】図２に示すＥ型コアの正面側からの斜視図
【図１２】図２に示すＩ型コアの正面側からの斜視図
【図１３】一実施形態に係る放電灯駆動回路の構成を示す図
【符号の説明】
【００５４】
１      インバータトランス
２      １次側ボビン
３      コイルセット
４      ２次側ボビン対
５，５Ａ      コア
６      第１の２次側ボビン
７      第２の２次側ボビン
８      １次巻線
９Ａ，９Ｂ      ２次巻線
１１      １次側端子
１２      （長尺型の）２次側端子
１３      （短尺型の）２次側端子
１５      Ｕ字型のＣＣＦＬ
２１，６１，７１      端子台
２２      鍔部
２３，６４，７４      巻軸部
２４，６５，７５      コア挿通孔
２５，６６      壁部
２６，６８，７６，７７      突部
５１，５１Ａ      Ｅ型コア
５２      Ｉ型コア
５３      第１の外脚部
５４      第２の外脚部
５５      中脚部
５６      連結部
６２，７２      上鍔部
６２ａ    円板部
６３，７３      下鍔部
６３ａ，７２ａ    テーパ部
６７，７７      切欠部
６９      凹部
Ｃ１〜Ｃ３      軸線
Ｐ１〜Ｐ４      ピン部
Ｑ１〜Ｑ４      溝部
【図１】
0004846420.tif 000002
【図２】
0004846420.tif 000003
【図３】
0004846420.tif 000004
【図４】
0004846420.tif 000005
【図５】
0004846420.tif 000006
【図６】
0004846420.tif 000007
【図７】
0004846420.tif 000008
【図８】
0004846420.tif 000009
【図９】
0004846420.tif 000010
【図１０】
0004846420.tif 000011
【図１１】
0004846420.tif 000012
【図１２】
0004846420.tif 000013
【図１３】
0004846420.tif 000014